(57)【要約】【課題】シャボン玉表面からの香り立ちが高く、空中を移動することで香りを効果的に拡散させることができるシャボン玉型芳香物の提供。【解決手段】式(3)〔ｐ、ｑ、ｒは変数、Kovatsは香料化合物のKovats Index、Doseは香料化合物の含有量（％）〕で計算されるLMSによる感覚強度に基づいて分類される(A)〜(C)群から選択される香料化合物を合計0.001〜0.2％含有し、条件(ｉ)〜(iii)の１以上を満たすシャボン玉型芳香物。  (A)群：0.001％で感覚強度が1.0以上となる香料化合物  (B)群：0.01％で感覚強度が1.0以上となる(A)群以外の香料化合物  (C)群：0.03％で感覚強度が1.0以上となる(A)及び(B)群以外の香料化合物  条件(ｉ)：(A)群の含有量が0.001％以上  条件(ii)：(B)群の含有量が0.01％以上  条件(iii)：(C)群の含有量が0.03％以上2020078494.tif 000036【選択図】なし【特許請求の範囲】
【請求項１】
式(3)で計算されるLabeled Magnitude Scaleによる香料化合物の感覚強度に基づいて分類される下記(A)〜(C)群；
【数１】
2020078494.tif 000035
〔式中、ｐ、ｑ及びｒは香料化合物ごとに決定された変数、Kovatsは香料化合物のKovats Index、Doseはシャボン玉型芳香物中における香料化合物の含有量（質量％）を示す。〕
(A)群：シャボン玉型芳香物中0.001質量％の含有量において式(3)の感覚強度が1.0以上となる香料化合物
(B)群：シャボン玉型芳香物中0.01質量％の含有量において式(3)の感覚強度が1.0以上となる(A)群以外の香料化合物
(C)群：シャボン玉型芳香物中0.03質量％の含有量において式(3)の感覚強度が1.0以上となる(A)群及び(B)群以外の香料化合物
から選択される１種又は２種以上の香料化合物を合計量で0.001質量％以上0.2質量％以下含有し、かつ、下記の条件(ｉ)〜(iii)；
条件(ｉ) ：(A)群の香料化合物の含有量が0.001質量％以上
条件(ii) ：(B)群の香料化合物の含有量が0.01質量％以上
条件(iii)：(C)群の香料化合物の含有量が0.03質量％以上
のうち１以上を満たすシャボン玉型芳香物。
【請求項２】
下記の(D)群の香料化合物の含有量が0.095質量％以下であり、(A)〜(D)群の香料化合物の合計量が0.001質量％以上0.2質量％以下である、請求項１記載の芳香用シャボン玉。
(D)群：(A)〜(C)群以外の香料化合物
【請求項３】
下記の条件(iv)〜(vi)を満たす、請求項１又は２に記載のシャボン玉型芳香物。
条件(iv)：(A)群の香料化合物の含有量が0.002質量％以上
条件(ｖ)：(B)群の香料化合物の含有量が０質量％以上0.1質量％以下
条件(vi)：(C)群の香料化合物の含有量が０質量％以上0.035質量％以下
【請求項４】
下記の条件(ii)、(vi)及び(vii)を満たす、請求項１又は２に記載のシャボン玉型芳香物。
条件(ii)：(B)群の香料化合物の含有量が0.01質量％以上
条件(vi)：(C)群の香料化合物の含有量が０質量％以上0.035質量％以下
条件(vii)：(A)群の香料化合物の含有量が０質量％以上0.08質量％以下
【請求項５】
シャボン玉内部に、空気より軽い気体を内包する、請求項１〜４のいずれか１項に記載のシャボン玉型芳香物。
【請求項６】
空気より軽い気体が、ヘリウム及び窒素から選ばれる１種又は２種以上を内包する、請求項５に記載のシャボン玉型芳香物。
【請求項７】
アニオン界面活性剤、非イオン界面活性剤及び両性活性剤から選択される界面活性剤を0.024質量％以上３質量％以下含有する、請求項１〜６のいずれか１項に記載のシャボン玉型芳香物。
【請求項８】
請求項１〜７のいずれか１項に記載のシャボン玉型芳香物を気流に乗せて空中を移動させることによる香りの拡散方法。
【発明の詳細な説明】
【技術分野】
【０００１】
本発明は、シャボン玉型の芳香物に関する。
【背景技術】
【０００２】
従来、シャボン玉液に香料を添加することはごく一般的に行われている（例えば、特許文献１、２）。さらには、シャボン玉を積極的に楽しむことを目的としてシャボン玉液に芳香剤を溶解してシャボン玉に臭いを付けること（特許文献３）も提案されている。
【先行技術文献】
【特許文献】
【０００３】
【特許文献１】特開平10-305178号公報
【特許文献２】特開2003-38867号公報
【特許文献３】実開平03-64698号公報
【発明の概要】
【発明が解決しようとする課題】
【０００４】
しかしながら、特許文献１〜３を始めとする従来の技術においてシャボン玉液に添加する具体的な香料化合物に関する検討がされたものはなく、シャボン玉液に単に賦香しただけではシャボン玉自体からの香り立ちは弱いか、又は香りがしない場合もあった。
【０００５】
したがって本発明は、シャボン玉表面からの香り立ちが高く、このシャボン玉が空中を移動することで効果的に香りを拡散させることができるシャボン玉型芳香物に関する。
【課題を解決するための手段】
【０００６】
そこで発明者らは、シャボン玉からの香料化合物の揮発挙動解析データと、ヒトのニオイ感覚強度データを用いて、シャボン玉からの香り立ちに寄与する香料化合物を選定するための基準を構築すべく鋭意検討を行った。その結果、シャボン玉に使用する香料として特定の条件を満たす香料化合物を特定量用いることによって、シャボン玉の表面からの香り立ちが高く、シャボン玉が空中を移動することで効果的に香りを拡散させることができることを見出した。
【０００７】
本発明は、式(3)で計算されるLabeled Magnitude Scaleによる香料化合物の感覚強度に基づいて分類される下記(A)〜(C)群；
【０００８】
【数１】
2020078494.tif 000002
【０００９】
〔式中、ｐ、ｑ及びｒは香料化合物ごとに決定された変数、Kovatsは香料化合物のKovats Index、Doseはシャボン玉型芳香物中における香料化合物の含有量（質量％）を示す。〕
(A)群：シャボン玉型芳香物中0.001質量％の含有量において式(3)の感覚強度が1.0以上となる香料化合物
(B)群：シャボン玉型芳香物中0.01質量％の含有量において式(3)の感覚強度が1.0以上となる(A)群以外の香料化合物
(C)群：シャボン玉型芳香物中0.03質量％の含有量において式(3)の感覚強度が1.0以上となる(A)群及び(B)群以外の香料化合物
から選択される１種又は２種以上の香料化合物を合計量で0.001質量％以上0.2質量％以下含有し、かつ、下記の条件(ｉ)〜(iii)；
条件(ｉ) ：(A)群の香料化合物の含有量が0.001質量％以上
条件(ii) ：(B)群の香料化合物の含有量が0.01質量％以上
条件(iii)：(C)群の香料化合物の含有量が0.03質量％以上
のうち１以上を満たすシャボン玉型芳香物を提供するものである。
【００１０】
また本発明は、上記のシャボン玉型芳香物を気流に乗せて空中を移動させることによる香りの拡散方法を提供するものである。
【発明の効果】
【００１１】
本発明のシャボン玉型芳香物は、シャボン玉表面からの香り立ちが高く、このシャボン玉が空中を移動することで効果的に香りを拡散させることができる。
【図面の簡単な説明】
【００１２】
【図１】Labeled Magnitude Scale（LMS）を示す図である。
【発明を実施するための形態】
【００１３】
本発明においては、以下の式(3)で計算されるLabeled Magnitude Scale（LMS）による香料化合物の感覚強度に基づいて、香料化合物をシャボン玉表面からの香り立ちの高さの順に、以下の(A)群〜(D)群に分類する。
【００１４】
【数２】
2020078494.tif 000003
【００１５】
〔式中、ｐ、ｑ及びｒは香料化合物ごとに決定された変数、Kovatsは香料化合物のKovats Index、Doseはシャボン玉型芳香物中における香料化合物の含有量（質量％）を示す。〕
【００１６】
(A)群：シャボン玉型芳香物中0.001質量％の含有量において式(3)の感覚強度が1.0以上となる香料化合物
(B)群：シャボン玉型芳香物中0.01質量％の含有量において式(3)の感覚強度が1.0以上となる(A)群以外の香料化合物
(C)群：シャボン玉型芳香物中0.03質量％の含有量において式(3)の感覚強度が1.0以上となる(A)群及び(B)群以外の香料化合物
(D)群：(A)〜(C)群以外の香料化合物
【００１７】
〔Labeled Magnitude Scale（LMS）について〕
Labeled Magnitude Scale（LMS）とは、B. G. Green（Chem. Senses., 1993, 18(6), 683-702）によって言語標識と対数尺度を組み合わせて開発された感覚強度尺度である。LMSは、測定対象による感覚強度の違いを直接的に、かつ、詳細に測ることが可能であり、味覚、嗅覚、触覚等の感覚強度の定量化・比較に利用されている。LMSは、図１に示すように０＝「Barely detectable」、100＝「Strongest Imaginable」で標識(ラベル)された０〜100の評価尺度内に示す感覚強度（「Barely Detectable」、「Weak」、「Moderate」、「Strong」、「Very Strong」）が標識されている。
【００１８】
LMSによる数値が意味する強度を以下に示す。
０〜1.4：ほとんど匂いがしない、1.5〜6.1：弱い匂い、6.2〜17.2：楽に感じる匂い、17.3〜35.4：強い匂い、35.5〜53.3：とても強い匂い、53.4〜100：非常に強い匂い
【００１９】
ただし、体性感覚差から、1.0の検知閾値であってもヒトによってはニオイを認知できる場合があること、さらに、単成分では検知閾値の香料化合物であっても、多成分系においてはニオイ間の相互作用によってニオイ強度の向上に寄与し得るという報告（Wise, M. P.; Miyazawa, T.; Gallagher, M.; Preti, G. Human Odor Detection of Homologous Carboxylic Acids and Their Binary Mixtures, Chem. Senses 2007, 32, 475-482）もあることから、本発明においては、香料化合物を選定する際、LMSによる各香料化合物の感覚強度の下限を1.0と設定した。
【００２０】
〔Kovats Indexについて〕
Kovats Indexは、アルカンの保持時間を基準にして算出されるガスクロマトグラフィーにおける保持指標を示し、香料の揮発しやすさを示す指標でもある。本発明においてKovats Indexの値は、Kovats, E., Helv. Chim. Acta, 41, 1915(1958)に記載の方法で計算される。一般的な非極性相カラムは、例えばHP-1（Hewlett-Packard）、CP Sil 5 CB（Chrompack）、OV-1（Ohio Valley）及びRtx-1（Restek）のような各種商標で供給される100％ジメチルポリシロキサン、極性カラムとしては、DB-WAX（Agilent）のような100％ポリエチレングリコールが好ましい。
【００２１】
〔(A)群：0.001質量％の含有量で式(3)の感覚強度が1.0以上となる香料化合物〕
(A)群に属する香料化合物としては、アセトイン、アルデヒドC-10、アルデヒドC-8、アルデヒドC-6、ヘキサン酸アリル、ヘプタン酸アリル、アリルアミルグリコレート、カロン（登録商標）、酢酸シンナミル、cis-3-ヘキセノール、酢酸cis-3-ヘキセニル、チグリン酸cis-3-ヘキセニル、d-シトロネラール、ギ酸シトロネリル、ダマセノン、α-ダイナスコン、2-メチル酪酸エチル、酪酸エチル、イソ酪酸エチル、イソ吉草酸エチル、エチルリナロール、エチルマルトール、1,8-シネオール、オイゲノール、フラネオール（登録商標）、β-ヨノン、酢酸イソアミル、ジャスモラクトン、リナロール、マルトール、マンザネート、メチル β-ナフチルケトン、γ-メチルヨノン、メチルイソオイゲノール、オクチンカルボン酸メチル、p-クレゾール、フェニルアセトアルデヒドグリセリルアセタ-ル、8-メルカプトメントン、2,3,5-トリメチルピラジン、ズルフロール（登録商標）、トリプラール等が挙げられる。
【００２２】
〔(B)群：0.01質量％の含有量で式(3)の感覚強度が1.0以上となる(A)群以外の香料化合物〕
(B)群に属する香料化合物としては、2-メチル酪酸、アセチルオイゲノール、α-ダマスコン、アルデヒドC-18、アルデヒドC-9、アンブレットリド、アネトール、ベンズアルデヒド、酢酸ベンジル、ボアサンブレンフォルテ、ボルネオール、酢酸セドリル、シトラール、シトロネロール、酢酸シトロネリル、シトロネリルニトリル、クマリン、シクラメンアルデヒド、サリチル酸シクロヘキシル、シクロテン、シクロベルタール（登録商標）、ジヒドロ β-ヨノン、ヘキサン酸エチル、フロロパール、フロローザ、フルテート（登録商標）、ヘリオナール、酢酸ヘキシル、ヘキシルシンナミックアルデヒド、サリチル酸ヘキシル、ヒドロキシシトロネラール、インドール、酪酸イソアミル、イソシクロシトラール、イソオイゲノール、イソメントン、ラクトンC-12 デルタ、リファローム、リリアール、リモネン、酢酸リナリル、l-メントール、l-メントン、ケイ皮酸メチル、ネロリドール、ヌートカトン、p-クレジルメチルエーテル、ペンタリッド（登録商標）、フェニルエチルアルコール、ポワレネート（登録商標）、ポレナール II、酢酸プレニル、ローズオキサイド、テルピネオール、テトラヒドロリナロール、trans-2-ヘキセナール、プロピオン酸トリシクロデセニル、2-イソプロピル-4-メチルチアゾール等が挙げられる。
【００２３】
〔(C)群：0.03質量％の含有量で式(3)の感覚強度が1.0以上となる(A)群及び(B)群以外の香料化合物〕
(C)群に属する香料化合物としては、2-メチル-4-プロピル-1,3-オキサチアン、アルデヒドC-16、アンブロキサン（登録商標）、α-ピネン、β-ダマスコン、カンファー、サリチル酸cis-3-ヘキセニル、クミンアルデヒド、エストラゴール、ゲラニオール、γ-テルピネン、ヘリオトロピン、酪酸ヘキシル、酢酸イソボルニル、ラクトンC-10 デルタ、ラクトンC-11 デルタ、ラクトンC-12 ガンマ、l-カルボン、リナロールオキサイド、ジヒドロジャスモン酸メチル、安息香酸メチル、ネロール、酪酸n-プロピル、酢酸o-tert-ブチルシクロヘキシル、酢酸フェニルエチル、ロミラット（登録商標）、サンダルマイソルコア、テルピローザ（登録商標）、バニリン等が挙げられる。
【００２４】
なお、以上例示した香料化合物以外にも、Steffen Arctander編著“Perfume and Flavor Chemicals” Montclair, N.J.(U.S.A.) (1969年)、合成香料編集委員会編集「合成香料−化学と商品知識」（化学工業日報社、2016年12月20日、増補新版）、中島基貴編著「香料と調香の基礎知識」産業図書（1995年初版）等に記載されている公知の香料化合物であって、(A)〜(C)群に該当するものを用いることができる。
【００２５】
本発明のシャボン玉型芳香物中における(A)〜(C)群から選択される１種又は２種以上の香料化合物の合計量は、シャボン玉の表面からの香り立ちに優れ、香りの拡散性を効果的に向上する観点から、0.001質量％以上であって、好ましくは0.01質量％以上、より好ましくは0.02質量％以上、更に好ましくは0.03質量％以上であり、また、香りが強くなりすぎず、適切な強度で香りを拡散する観点から、0.2質量％以下であって、好ましくは0.15質量％以下、より好ましくは0.1質量％以下、更に好ましくは0.05質量％以下である。
【００２６】
本発明のシャボン玉型芳香物は、前記(A)〜(C)群から選択される１種又は２種以上の香料化合物を、下記の条件(ｉ)〜(iii)のいずれか１以上を満たすように含有する。
条件(ｉ) ：(A)群の香料化合物の含有量が0.001質量％以上
条件(ii) ：(B)群の香料化合物の含有量が0.01質量％以上
条件(iii)：(C)群の香料化合物の含有量が0.03質量％以上
【００２７】
(A)〜(C)群の香料化合物の含有量に関し、本発明のシャボン玉型芳香物の好適な態様としては、以下の条件を満たすシャボン玉型芳香物を挙げることができる。
【００２８】
・前記条件(ｉ)を満たすシャボン玉型芳香物の好適な態様例
下記の条件(iv)〜(vi)を満たすシャボン玉型芳香物。
条件(iv)：(A)群の香料化合物の含有量が0.002質量％以上
条件(ｖ)：(B)群の香料化合物の含有量が０質量％以上0.1質量％以下
条件(vi)：(C)群の香料化合物の含有量が０質量％以上0.035質量％以下
【００２９】
・前記条件(ii)を満たすシャボン玉型芳香物の好適な態様例
下記の条件(ii)、(vi)及び(vii)を満たすシャボン玉型芳香物。
条件(ii)：(B)群の香料化合物の含有量が0.01質量％以上
条件(vi)：(C)群の香料化合物の含有量が０質量％以上0.035質量％以下
条件(vii)：(A)群の香料化合物の含有量が０質量％以上0.08質量％以下
【００３０】
〔(D)群：(A)〜(C)群以外の香料化合物〕
本発明のシャボン玉型芳香物は、更に(D)群として、(A)〜(C)群のいずれにも該当しない香料化合物、すなわちシャボン玉表面からの香り立ちに対する寄与の低い香料化合物を含有することができる。(D)群の香料化合物としては、酪酸2-メチルブチル、ドデシルアルデヒド、γ-ウンデカラクトン、アンバーコア（登録商標）、アンブロテック（登録商標）、アニスアルデヒド、アフェルメート、ベンジルアルコール、プロピオン酸ベンジル、β-ピネン、カンフェン、カリオフィレン、セドロール、シンナミックアルデヒド、シスジャスモン、酢酸ジメチルベンジルカルビニル、ジヒドロオイゲノール、アセト酢酸エチル、エチルバニリン、エチレンブラシレート、ガラクソリド、酢酸ゲラニル、ハーバベール（登録商標）、インドフロール、α-ヨノン、イソ吉草酸イソアミル、酢酸イソブチル、イソダマスコン、ラクトンC-10 ガンマ、ラクトンC-5 ガンマ、メルサット（登録商標）、アニス酸メチル、メチルアンスラニレート、ムセノン（登録商標）、マイラックアルデヒド、オシメン、パンプルフルール、p-シメン、ペラナット（登録商標）、イソ酪酸2-フェノキシエチル、フェニルヘキサノール、プリカトン、ラズベリーケトン、ルボフィックス、テルピネオール-4、ツヨン、トロエナン（登録商標）、バレンセン、ベルートン（登録商標）、インドレン、ヘキサン酸、エチルジグリコール等が挙げられる。
【００３１】
また、以上例示した香料化合物以外にも、Steffen Arctander編著“Perfume and Flavor Chemicals” Montclair, N.J.(U.S.A.) (1969年)、合成香料編集委員会編集「合成香料−化学と商品知識」（化学工業日報社、2016年12月20日、増補新版）、中島基貴編著「香料と調香の基礎知識」産業図書（1995年初版）等に記載されている公知の香料化合物であって、(A)〜(C)群に該当しないものを用いることができる。
【００３２】
本発明のシャボン玉型芳香物中における(D)群の香料化合物の合計量は、シャボン玉の表面からの香り立ちを優れたものとし、香りの拡散性を効果的に向上する観点から、好ましくは0.095質量％以下、より好ましくは0.06質量％以下、更に好ましくは0.02質量％以下である。
【００３３】
また、本発明のシャボン玉型芳香物が(D)群の香料化合物を含有する場合であっても、本発明のシャボン玉型芳香物中における(A)〜(D)群から選択される１種又は２種以上の香料化合物の合計量は、前記同様の観点から、好ましくは0.001質量％以上、より好ましくは0.01質量％以上、更に好ましくは0.02質量％以上、更に好ましくは0.03質量％以上であり、また、好ましくは0.2質量％以下、より好ましくは0.15質量％以下、更に好ましくは0.12質量％以下、更に好ましくは0.1質量％以下である。
【００３４】
〔溶媒（希釈剤）〕
本発明のシャボン玉型芳香物には、前記(A)〜(D)群の香料化合物を含有する香料組成物のための溶媒（希釈剤）を含有してもよい。溶媒としては、シャボン玉表面からの香り立ち向上の観点から、3-メトキシ-3-メチルブタノール、ジエチレングリコールモノエチルエーテル、フタル酸ジエチル、ジプロピレングリコール、ジプロピレングリコールモノエチルエーテル、ミリスチン酸イソプロピル、ミリスチン酸ベンジル、プロピレングリコール、エチレングリコール、アジピン酸ジイソブチル、エタノール、水添アビエチン酸メチル、クエン酸トリエチル、安息香酸ベンジル、ベンジルアルコール、フェノキシエタノール、グリセリン等が挙げられ、なかでもジプロピレングリコール、プロピレングリコール、エチレングリコール、安息香酸ベンジル、及びミリスチン酸イソプロピルから選択される１種又は２種以上が好ましい。
【００３５】
〔シャボン玉液用配合成分〕
本発明のシャボン玉型芳香物には、前記香料化合物及び溶媒のほか、通常シャボン玉液に用いられる各種成分を含有させることができる。このようなシャボン玉液用成分としては特に限定されず、シャボン玉液に一般的に配合されるものであれば適宜用いることができ、例えば、水、界面活性剤、多価アルコール、水溶性高分子、糖類、着色剤等が挙げられる。なお、本発明のシャボン玉型芳香物は、前記香料化合物及び溶媒をシャボン玉液に直接配合させた態様のみならず、香りを含む気体をシャボン膜に向けて噴出して香りが封入されたシャボン玉を生成させる態様であってもよい。
【００３６】
界面活性剤としては、非イオン界面活性剤、両性界面活性剤、アニオン界面活性剤、カチオン界面活性剤のいずれを使用することもできるが、非イオン界面活性剤、両性界面活性剤、アニオン界面活性剤が、シャボン玉表面からの香り立ち向上の観点から好ましい。
【００３７】
非イオン界面活性剤としては、ポリオキシアルキレンアルキルエーテル、ポリオキシアルキレンアルケニルエーテル、高級脂肪酸ショ糖エステル、ポリグリセリン脂肪酸エステル、高級脂肪酸モノ又はジエタノールアミド、ポリオキシエチレン硬化ヒマシ油、ポリオキシエチレンソルビタン脂肪酸エステル、ポリオキシエチレンソルビット脂肪酸エステル、アルキルサッカライド、アルキルグリセリルエーテル等が挙げられる。
【００３８】
両性界面活性剤としてはイミダゾリン、カルボベタイン、アミドベタイン、スルホベタイン、ヒドロキシスルホベタイン、アミドスルホベタイン、アルキルアミンオキサイド、アルキルアミドアミンオキサイド等が挙げられる。
【００３９】
なかでも、シャボン玉表面からの香り立ち向上の観点から、両性界面活性剤としてはスルホベタイン型界面活性剤が好ましく、アルキル基の炭素数が10〜18のN-アルキル-N,N-ジメチル-N-スルホプロピルアンモニウムスルホベタイン、N-アルキル-N,N-ジメチル-N-(2-ヒドロキシスルホプロピル)アンモニウムスルホベタイン；アルカノイル基の炭素数が10〜18のN-アルカノイルアミノプロピル-N,N-ジメチル-N-スルホプロピルアンモニウムスルホベタイン、N-アルカノイルアミノプロピル-N,N-ジメチル-N-(2-ヒドロキシスルホプロピル)アンモニウムスルホベタイン、N-アルキル-N,N-ジメチルアミンオキシドから選ばれる１種以上がより好ましい。
【００４０】
アニオン界面活性剤としては、アルキルベンゼンスルホン酸塩、アルキル又はアルケニルエーテル硫酸塩、アルキル又はアルケニル硫酸塩、オレフィンスルホン酸塩、アルカンスルホン酸塩、飽和又は不飽和脂肪酸塩、アルキル又はアルケニルエーテルカルボン酸塩、α-スルホ脂肪酸塩、N-アシルアミノ酸、リン酸モノ又はジエステル、スルホコハク酸エステル等が挙げられる。アルキルエーテル硫酸塩としては、ポリオキシエチレンアルキルエーテル硫酸塩、ポリオキシプロピレンアルキルエーテル硫酸塩、ポリオキシ（エチレン/プロピレン）アルキルエーテル硫酸塩が挙げられる。
【００４１】
なかでも、シャボン玉表面からの香り立ち向上の観点から、アニオン界面活性剤としては、下記一般式(I)又は(II)で表される化合物から選ばれる１種以上が好ましい。
Ｒ1−Ｏ−(ＰＯ)n−ＳＯ3Ｍ1        (I)
〔式中、Ｒ1は炭素数８〜18のアルキル基を示し、ＰＯはプロピレンオキシ基を示し、ｎは０〜６の数であってＰＯの平均付加モル数を示し、Ｍ1は陽イオンを示す。〕
Ｒ2−Ｏ−(ＰＯ)m−(ＥＯ)l−ＳＯ3Ｍ2        (II)
〔式中、Ｒ2は炭素数８〜18のアルキル基を示し、ＰＯはプロピレンオキシ基を示し、ＥＯはエチレンオキシ基を示し、ｍは０超１未満の数であってＰＯの平均付加モル数を示し、ｌは０超３以下の数であってＥＯの平均付加モル数を示し、Ｍ2は陽イオンを示す。〕
【００４２】
これら界面活性剤は、単独で又は２種以上を組み合わせて使用することができ、なかでも、アニオン界面活性剤と両性界面活性剤とを併用することが、シャボン玉表面からの香り立ち向上の観点から好ましい。本発明のシャボン玉型芳香物中における界面活性剤の総含有量は、持続性の良好なシャボン玉を形成する観点から、好ましくは0.024質量％以上、より好ましくは0.24質量％以上、更に好ましくは0.5質量％以上であり、また、好ましくは３質量％以下、より好ましくは２質量％以下、更に好ましくは１質量％以下である。
【００４３】
シャボン玉表面からの香り立ち向上の観点から、シャボン玉芳香物中におけるアニオン界面活性剤の含有量は、好ましくは0.01質量％以上、より好ましくは0.05質量％以上、、更に好ましくは0.1質量％以上であり、また、好ましくは0.6質量％以下、より好ましくは0.4質量％以下である。
【００４４】
シャボン玉表面からの香り立ち向上の観点から、シャボン玉型芳香物中における両性界面活性剤の含有量は、好ましくは0.005質量％以上、より好ましくは0.0075質量％以上、更に好ましくは0.01質量％以上であり、また、好ましくは0.15質量％以下、より好ましくは0.14質量％以下、更に好ましくは0.13質量％以下である。
【００４５】
また、シャボン玉表面からの香り立ち向上の観点から、シャボン玉型芳香物中におけるアニオン界面活性剤及び両性界面活性剤の合計含有量に対する、アニオン界面活性剤の含有量の割合、すなわちアニオン界面活性剤の含有量／〔アニオン界面活性剤の含有量＋両性界面活性剤の含有量〕は、好ましくは0.5以上、より好ましくは0.6以上、更に好ましくは0.7以上であり、また、好ましくは１以下、より好ましくは0.9以下、更に好ましくは0.85以下である。
【００４６】
多価アルコールとしては、エチレングリコール、ジエチレングリコール、トリエチレングリコール、ポリエチレングリコール、プロピレングリコール、ジプロピレングリコール、ポリプロピレングリコール、イソプレングリコール、1,3-ブチレングリコール、ポリビニルアルコール等のグリコール類；グリセリン、ジグリセリン、ポリグリセリン；ソルビトール、マルチトール等の糖類が挙げられる。
【００４７】
これら多価アルコールは、単独で又は２種以上を組み合わせて使用することができる。本発明のシャボン玉型芳香物中における多価アルコールの含有量は、持続性の良好なシャボン玉を形成する観点から、好ましくは0.1質量％以上、より好ましくは１質量％以上、更に好ましくは５質量％以上であり、また、好ましくは45質量％以下、より好ましくは40質量％以下、更に好ましくは35質量％以下である。
【００４８】
〔香りの拡散方法〕
本発明のシャボン玉型芳香物は、シャボン玉表面からの香り立ちに優れるため、これを気流に乗せて空中を移動させることによって香りを拡散させることができる。
【００４９】
〔内包させる気体〕
本発明のシャボン玉型芳香物に内包させる気体としては、シャボン玉を形成後、できるだけ長時間空中を浮遊させて周囲に香りを拡散する観点から、空気より軽い気体が好ましい。空気より軽い気体としては、ヘリウム、窒素等、又はこれらの気体と空気との混合気体が挙げられる。
【００５０】
また、前記空気より軽い気体と共に白色気体を内包させることによって、形成したシャボン玉を白くすることができる。白色気体としては、プロピレングリコール、グリセリン等の親水性有機溶媒と水の混合物を加熱して水と共に蒸発させることで生ずる白い煙様気体、ドライアイスに水を接触させることで生ずる白い煙様気体が挙げられる。
【００５１】
前記のようにして形成させた白いシャボン玉型芳香物を気流に乗せて空中を移動させ、そのシャボン玉表面から拡散する香りのイメージに即した色の光又は映像を投射することによって、香りの拡散を可視化することができる。
【実施例】
【００５２】
試験例１（香料放出量の予測式の導出）
香料組成物１（表１）又は香料組成物２（表２）を0.01質量％、0.05質量％又は0.10質量％含むシャボン玉芳香物（表３）をそれぞれ準備した。
シャボン玉は、先端にテフロン（登録商標）チューブを用いてシャボン玉ストロー（いち屋社製）を接続した100mL白硬注射筒（翼工業社製）を使用し、空気60mLを封入して作製した。作製したシャボン玉は500mLビーカーで捕集し、アルミホイルで蓋をした。
Tenax-TA（GLサイエンス社製）とダイヤフラムポンプ（GLサイエンス社製、SP 208 Dual）を用いてビーカーに揮散した香料を捕集した。シャボン玉から放出された香料について、GC/MSでビーカー内のヘッドスペースを定量分析した。
【００５３】
ガスクロマトグラフィー分析条件
吸着管：Tenax TA（GLサイエンス社製）
GC：6890N（アジレントテクノロジー社製）
カラム：DB-WAX 60.0m × 250μm × 0.25μm
キャリアガス：ヘリウム（116.5kPa、1.1mL/min）
カラム温度：40℃で３分保持後、70℃まで６℃/分、240℃まで４℃/分で昇温し、20分保持
MS：5975B（アジレントテクノロジー社製）
【００５４】
【表１】
2020078494.tif 000004
【００５５】
【表２】
2020078494.tif 000005
【００５６】
【表３】
2020078494.tif 000006
【００５７】
この定量分析の結果から、シャボン玉芳香物に配合された香料化合物の含有量と放出量（気相濃度；μg/L air）の関係は、次式(1)で表されることが分かった。
【００５８】
【数３】
2020078494.tif 000007
【００５９】
〔式中、Kovatsは香料化合物のKovats Index、Doseはシャボン玉型芳香物中の香料化合物の含有量を示す。〕
【００６０】
試験例２（気相濃度に対応した各香料化合物の強度曲線の導出）
３Ｌポリエチレン製におい袋（アズワン社から購入）にそれぞれの香料化合物0.5mLを導入し、無臭の空気を導入した。一晩静置したにおい袋からヘッドスペースを回収し、別のフッ素樹脂バッグを用いて様々な濃度のにおい袋を準備した。
Tenax-TAとサンプリングポンプを用いてフッ素樹脂バッグ内に揮散した香料を捕集し、GC/MSでバッグ内のヘッドスペースを定量分析した。
濃度既知のフッ素樹脂バッグをにおい識別用希釈混合装置（島津社製）に接続し、装置から出される濃度ごとのニオイ強度を専門パネル14名がLMSを用いて評価した。
評価結果から、次式(2)で表される、香料化合物の気相濃度に対応する感覚強度が得られた。
【００６１】
【数４】
2020078494.tif 000008
【００６２】
〔式中、ｐ、ｑ及びｒは香料化合物ごとに決定された変数を示す。〕
【００６３】
なお、係数ｐ、ｑ及びｒは、それぞれの香料化合物ごとに得られた気相濃度を式(2)に代入して算出された感覚強度の値が専門パネル14名の官能評価の平均値に近似するように、予測値と実測値間の残差の二乗和を最小とする（最小二乗法）ことで決定した。
決定には、表計算ソフトプログラムであるMicrosoft社のExcel 2010(ver14.0)のアドインプログラムであるソルバーを用いた。
【００６４】
式(2)に式(1)を代入した式(3)により、シャボン玉芳香組成物に対する香料化合物の配合量から、香料化合物のニオイ強度が算出される。本式を用いて、シャボン玉からの香り立ちへの寄与の程度によって香料化合物を(A)群〜(D)群に分類する。
【００６５】
【数５】
2020078494.tif 000009
【００６６】
〔式中、ｐ、ｑ及びｒは香料化合物ごとに決定された変数、Kovatsは香料化合物のKovats Index、Doseはシャボン玉型芳香物中における香料化合物の含有量（質量％）を示す。〕
【００６７】
表４〜７に、式(3)から計算されたLMSによる各香料化合物の感覚強度を各群別に示す。
【００６８】
【表４】
2020078494.tif 000010
【００６９】
【表５】
2020078494.tif 000011
【００７０】
【表６】
2020078494.tif 000012
【００７１】
【表７】
2020078494.tif 000013
【００７２】
実施例１〜19、比較例１
表９〜28に示すシャボン玉型芳香物用香料組成物を0.10質量％含むシャボン玉芳香組成物を準備した。シャボン玉芳香物の処方は表８に示すとおりである。シャボン玉型芳香物は、先端にテフロンチューブを用いてシャボン玉ストロー（いち屋社製）を接続した100mL白硬注射筒（翼工業社製）を使用し、空気60mLを封入して作製した。
【００７３】
【表８】
2020078494.tif 000014
【００７４】
これらのシャボン玉型芳香物について、0.3〜1.0ｍの距離から、その香り立ちについて以下の基準に従い、下記の６段階評価尺度にて評価した。評価は0.5刻みとした。
０：無臭
１：やっと感知できるにおい
２：何のにおいであるかわかる弱いにおい
３：楽に感知できるにおい
４：強いにおい
５：強烈なにおい
【００７５】
【表９】
2020078494.tif 000015
【００７６】
【表１０】
2020078494.tif 000016
【００７７】
【表１１】
2020078494.tif 000017
【００７８】
【表１２】
2020078494.tif 000018
【００７９】
【表１３】
2020078494.tif 000019
【００８０】
【表１４】
2020078494.tif 000020
【００８１】
【表１５】
2020078494.tif 000021
【００８２】
【表１６】
2020078494.tif 000022
【００８３】
【表１７】
2020078494.tif 000023
【００８４】
【表１８】
2020078494.tif 000024
【００８５】
【表１９】
2020078494.tif 000025
【００８６】
【表２０】
2020078494.tif 000026
【００８７】
【表２１】
2020078494.tif 000027
【００８８】
【表２２】
2020078494.tif 000028
【００８９】
【表２３】
2020078494.tif 000029
【００９０】
【表２４】
2020078494.tif 000030
【００９１】
【表２５】
2020078494.tif 000031
【００９２】
【表２６】
2020078494.tif 000032
【００９３】
【表２７】
2020078494.tif 000033
【００９４】
【表２８】
2020078494.tif 000034
【図１】
2020078494.tif 000037